(57)【要約】【課題】  インクジェット記録装置が取得する時間情報が正確でなくても、記録ヘッドのメンテナンス処理を適切に実行することができるインクジェット記録装置およびその制御方法を提供することを目的とするものである。【解決手段】  既に取得した画像データ源特定情報と、新たに取得した画像データ源特定情報とが互いに異なると、画像データ源特定情報比較手段が判断した場合、インク吸引手段がインクを吸引するとともに、画像データ源時刻情報を、インク吸引実行時刻として記憶するインクジェット記録装置である。【選択図】  図５
2007090539.tif 000002
【特許請求の範囲】
【請求項１】
画像データ源から受信した画像データに基づいて、画像を記録するインクジェット記録装置において、
記録ヘッドのメンテナンスのために、上記記録ヘッドの吐出口からインクを所定量吸引するインク吸引手段と；
記録ヘッドのメンテナンスのために、上記記録ヘッドの吐出口からインクを所定量吐出するインク吐出手段と；
上記インク吸引手段によってインクが吸引されたときのインク吸引実行時刻情報を記憶するインク吸引実行時刻情報記憶手段と；
上記画像データ源から画像データを受信する動作に先行して、上記画像データ源に内蔵されている内蔵タイマに格納されている画像データ源時刻情報を取得する画像データ源時刻情報取得手段と；
画像データ源を特定する情報である画像データ源特定情報を取得する画像データ源特定情報取得手段と；
上記画像データ源から取得した上記画像データ源時刻情報と、上記画像データ源特定情報とを記憶する画像データ源特定情報記憶手段と；
上記インク吸引実行時刻情報と、上記画像データ源時刻情報との差である吸引経過時間を演算する吸引経過時間演算手段と；
既に取得した画像データ源特定情報と、新たに取得した画像データ源特定情報とを比較する画像データ源特定情報比較手段と；
両データ源が互いに同じであると、上記画像データ源特定情報比較手段が判断した場合、上記吸引経過時間演算手段が演算した吸引経過時間が、所定時間を経過していれば、上記インク吸引手段がインクを吸引するとともに、上記画像データ源時刻情報を、インク吸引実行時刻として記憶し、一方、両データ源が互いに異なると、上記画像データ源特定情報比較手段が判断した場合、上記インク吸引手段がインクを吸引するとともに、上記画像データ源時刻情報を、インク吸引実行時刻として記憶する制御手段と；
を有することを特徴とするインクジェット記録装置。
【請求項２】
請求項１において、
上記インク吸引実行時刻情報記憶手段は、上記インク吸引実行時刻情報を記憶する不揮発性メモリであり、
上記画像データ源特定情報記憶手段は、上記画像データ源から取得した上記画像データ源時刻情報を記憶する不揮発性メモリであることを特徴とするインクジェットプリント装置。
【請求項３】
請求項１または請求項２において、
既に取得した時刻情報に上記画像データ源特定情報が付随していないか、受信したデータが不正であると判断された場合、上記インク吸引手段がインクを吸引するとともに、上記データ源時刻情報をインク吸引時間として記憶することを特徴とするインクジェットプリント装置。
【請求項４】
画像データ源から受信した画像データに基づいて、画像を記録するインクジェット記録装置の制御方法において、
記録ヘッドのメンテナンスのために、上記記録ヘッドの吐出口からインクを所定量吸引するインク吸引工程と；
記録ヘッドのメンテナンスのために、上記記録ヘッドの吐出口からインクを所定量吐出するインク吐出工程と；
上記インク吸引工程でインクが吸引されたときのインク吸引実行時刻情報を記憶するインク吸引実行時刻情報記憶工程と；
画像データ源から画像データを受信する動作に先行して、上記画像データ源に内蔵されている内蔵タイマに格納されている上記画像データ源時刻情報を取得する画像データ源時刻情報取得工程と；
画像データ源を特定する情報である画像データ源特定情報を取得する画像データ源特定情報取得工程と；
上記画像データ源から取得した上記画像データ源時刻情報と、上記画像データ源特定情報とを記憶する画像データ源特定情報記憶工程と；
上記インク吸引実行時刻情報と、上記画像データ源時刻情報との差である吸引経過時間を演算する吸引経過時間演算工程と；
既に取得した画像データ源特定情報と、新たに取得した画像データ源特定情報とを比較する画像データ源特定情報比較工程と；
両データ源が互いに同じであると、上記画像データ源特定情報比較工程で判断した場合、上記吸引経過時間演算工程で演算した吸引経過時間が、所定時間を経過していれば、上記インク吸引工程でインクを吸引するとともに、上記画像データ源時刻情報を、インク吸引実行時刻として記憶し、一方、両データ源が互いに異なると、上記画像データ源特定情報比較工程で判断した場合、上記インク吸引工程でインクを吸引するとともに、上記画像データ源時刻情報を、インク吸引実行時刻として記憶する制御工程と；
を有することを特徴とするインクジェット記録装置の制御方法。
【請求項５】
記録ヘッドのメンテナンスのために、上記記録ヘッドの吐出口からインクを所定量吸引するインク吸引手順と；
記録ヘッドのメンテナンスのために、上記記録ヘッドの吐出口からインクを所定量吐出するインク吐出手順と；
上記インク吸引手順でインクが吸引されたときのインク吸引実行時刻情報を記憶するインク吸引実行時刻情報記憶手順と；
画像データ源から画像データを受信する動作に先行して、画像データ源に内蔵されている内蔵タイマに格納されている画像データ源時刻情報を取得する画像データ源時刻情報取得手順と；
画像データ源を特定する情報である画像データ源特定情報を取得する画像データ源特定情報取得手順と；
上記画像データ源から取得した上記画像データ源時刻情報と、上記画像データ源特定情報とを記憶する画像データ源特定情報記憶手順と；
上記インク吸引実行時刻情報と、上記画像データ源時刻情報との差である吸引経過時間を演算する吸引経過時間演算手順と；
既に取得した画像データ源特定情報と、新たに取得した画像データ源特定情報とを比較する画像データ源特定情報比較手順と；
両データ源が互いに同じであると、上記画像データ源特定情報比較手順で判断した場合、上記吸引経過時間演算手順で演算した吸引経過時間が、所定時間を経過していれば、上記インク吸引手順でインクを吸引するとともに、上記画像データ源時刻情報を、インク吸引実行時刻として記憶し、一方、両データ源が互いに異なると、上記画像データ源特定情報比較手順で判断した場合、上記インク吸引手順でインクを吸引するとともに、上記画像データ源時刻情報を、インク吸引実行時刻として記憶する制御手順と；
をインクジェット記録装置に実行させるプログラム。
【発明の詳細な説明】
【技術分野】
【０００１】
本発明は、デジタルカメラ等の撮像装置等の画像データ源から、画像データを入力し、被記録媒体に記録するインクジェット記録装置およびその制御方法に関する。
【背景技術】
【０００２】
近年、簡単な操作で画像を撮影し、デジタル画像データに変換できるデジタルカメラ（撮像装置）が広く使用されている。このようなカメラで撮影した画像を、印刷し、写真として使用する場合、通常、一旦、その撮影されたデジタル画像データを、デジタルカメラからＰＣ（コンピュータ）に取り込む。そして、このＰＣで画像処理を行った後に、このＰＣからカラープリンタに対して印刷するのが一般的である。
【０００３】
これに対して、最近は、ＰＣを介さずに、デジタルカメラから、直接、カラープリンタに、デジタル画像データを転送し、印刷することができるカラープリントシステムが開発されている。
【０００４】
ところで、インクジェット記録装置の記録ヘッドを使用しない状態が、一定時間以上続くと、記録ヘッドについて、吸引動作やインク吐出動作等のメンテナンス処理を行う必要がある。
【０００５】
ホスト装置から、プリント情報とともに受信したプリント時刻情報に応じて、過剰なインク吸引動作や過剰なインク吐出動作を行うことなく、最適な記録ヘッドのメンテナンス処理を行うことが知られている（たとえば、特許文献１参照）。この従来技術は、ホスト装置としてＰＣ（コンピュータ）を使用しているが、ホスト装置として、デジタルカメラ等の撮像装置にも使用することができる。
【特許文献１】特開２００４−０４２４２２号公報
【発明の開示】
【発明が解決しようとする課題】
【０００６】
しかし、デジタルカメラ等の撮像装置が、ＰＣ（コンピュータ）と大きく異なる点は、ＰＣ（コンピュータ）では、時間情報の元となる本体の時間情報は、出荷時に設定され、近年では、ネットワークを介して時間情報を取得ができる点である。したがって、比較的正確である。しかし、デジタルカメラ等の撮像装置では、この撮像装置の時間情報は、そのコスト面や装置面から、ユーザが初めて使用する際に入力し、その後において、時間情報を更新する手段が無い。よって、デジタルカメラ等の撮像装置における時間情報は、正確性に欠けるという問題がある。
【０００７】
また、インクジェット記録装置側から見て、接続されるＰＣ（コンピュータ）は、通常は１つであるが、デジタルカメラ等の撮像装置は、デジタルカメラ、デジタルビデオ、カメラ付携帯電話等、多岐にわたるので、複数が接続されることが多い。そして、それぞれが上記のように、ユーザが時間情報を入力するタイプである場合、正確性をさらに欠くという問題がある。
【０００８】
したがって、インクジェット記録装置が取得する時間情報が正確でないが故に、上記最適な記録ヘッドのメンテナンス処理を適切に実行することができないという問題がある。
【０００９】
本発明は、インクジェット記録装置が取得する時間情報が正確でなくても、記録ヘッドのメンテナンス処理を適切に実行することができるインクジェット記録装置およびその制御方法を提供することを目的とするものである。
【課題を解決するための手段】
【００１０】
本発明は、既に取得した画像データ源特定情報と、新たに取得した画像データ源特定情報とが互いに異なると、画像データ源特定情報比較手段が判断した場合、インク吸引手段がインクを吸引するインクジェット記録装置である。また、本発明は、画像データ源時刻情報を、インク吸引実行時刻として記憶するインクジェット記録装置である。
【発明の効果】
【００１１】
本発明によれば、データ源が異なると、画像データ源特定情報比較手段が判断した場合には、インク吸引手段によってインクの吸引を行うので、記録ヘッドのメンテナンス処理を適切に行うことができるという効果を奏する。
【発明を実施するための最良の形態】
【００１２】
発明を実施するための最良の形態は、次の実施例である。
【実施例１】
【００１３】
図１は、本発明の実施例１であるインクジェット記録装置ＰＲ１の内部構成を示す模式的斜視図である。
【００１４】
インクジェット記録装置ＰＲ１は、駆動源であるキャリッジモータＭ１と、インクジェット記録ヘッド３を搭載するキャリッジ２と、キャリッジモータＭ１によってキャリッジ２を、矢印Ａの主走査方向に往復移動させる伝動機構４とを有する。また、インクジェット記録装置ＰＲ１は、被記録媒体である記録紙Ｐを搬送（紙送り）する給紙機構（紙送り機構）５と、記録ヘッド３の回復処理を行う回復装置１０とを有する。
【００１５】
図２は、インクジェット記録装置ＰＲ１における回復手段を含む回復装置１０を、斜め上方から見た模式的斜視図である。
【００１６】
記録紙Ｐは、給紙機構５によって記録装置ＰＲ１の本体内に送り込まれ、記録ヘッド３によって所定の記録が行なわれる。記録ヘッド３は、キャリッジ２に対して着脱自在に装着され、その記録ヘッド３に対して、カートリッジタイプのインクタンク（以下、「インクカートリッジ」ともいう）６が、着脱自在に装着されている。このインクタンク６内に収容されているインクが、記録ヘッド３に供給される。記録ヘッド３とインクタンク６とは、インクジェットカートリッジを構成する。
【００１７】
記録ヘッド３には、後述するように、吐出する複数種のインク毎に、対応する複数の吐出口列が形成され、これら複数種のインクを、個別に収容する複数のインクタンク６から、インクが供給される。
【００１８】
キャリッジ２と記録ヘッド３とは、それらの対向部材の接合面が適正に接触することによって、所要の電気的接続が達成維持される。記録ヘッド３は、記録信号に応じたパルス電圧が印加されることによって、複数の吐出口からインクを選択的に吐出し、記録紙Ｐに画像を記録する。記録ヘッド３は、熱エネルギーを利用してインクを吐出するインクジェット記録ヘッドであり、その熱エネルギーを発生するための電気熱変換体を備えている。
【００１９】
すなわち、電気熱変換体から発生する熱エネルギーによって、インクに膜沸騰が生じ、インク中の気泡の成長、収縮によって生じる圧力変化を利用し、吐出口からインクを吐出させる。電気熱変換体は、複数の吐出口のそれぞれに対応して設けられ、記録信号に対応する電気熱変換体に、パルス電圧を印加することによって、その電気熱変換体に対応する吐出口からインクが吐出される。
【００２０】
図１に示すように、キャリッジ２は、キャリッジモータＭ１の駆動力を伝達する伝動機構４の駆動ベルト７の一部に連結され、しかも、ガイドシャフト１３に沿って、矢印Ａの主走査方向に移動自在にガイドされている。キャリッジモータＭ１の正転と逆転とによって、キャリッジ２は、ガイドシャフト１３に沿って往復移動する。スケール８は、キャリッジ２の矢印Ａの主走査方向における絶対位置を示すスケールである。スケール８は、透明なＰＥＴフィルムに、所定ピッチの黒色のバーが印刷されたものが用いられ、その一方の端部は、シャーシ９に固着され、他方の端部は、図示しない板バネに支持されている。
【００２１】
インクジェット記録装置ＰＲ１において、記録ヘッド３の吐出口が、形成された吐出口面に対向するように、図示しないプラテンが設けられている。そして、キャリッジモータＭ１の駆動力によって、記録ヘッド３が搭載されているキャリッジ２を、主走査方向に往復移動させる。これと同時に、記録信号に基づいて、記録ヘッド３からインクを吐出することによって、プラテン上に搬送されている被記録媒体としての記録紙Ｐの幅方向に記録が行われる。
【００２２】
搬送ローラ１４は、記録紙Ｐを搬送するために、搬送モータＭ２によって駆動される。ピンチローラ１５は、図示しないバネによって記録紙Ｐを搬送ローラ１４に押しつける。ピンチローラホルダ１６は、ピンチローラ１５を回転自在に支持する。搬送ローラギア１７は、搬送ローラ１４の一端に固着され、この搬送ローラギア１７に伝達された搬送モータＭ２の回転力によって、搬送ローラ１４が駆動される。
【００２３】
記録紙Ｐは、記録ヘッド３によって画像が記録され、排出ローラ１９によって記録装置ＰＲ１外ヘ排出される。排出ローラ１９は、図示しない排出ローラギアを介して伝達された搬送モータＭ２の回転によって駆動される。拍車ローラ２１は、図示しないバネの付勢力によって、記録紙Ｐを排出ローラ１９に圧接させる。拍車ホルダ２２は、拍車ローラ２１を回転自在に支持する。
【００２４】
また、インクジェット記録装置ＰＲ１には、記録ヘッド３を搭載したキャリッジ２が、記録動作のために往復移動する範囲の外（記録領域の外）に、記録ヘッド３の吐出状態を良好に維持するために回復処理する回復装置１０が配設されている。回復装置１０の配設位置は、たとえば、キャリッジ２および記録ヘッド３のホームポジションと対応する位置等、記録領域外の所望位置に設定されている。
【００２５】
図３は、インクジェット記録装置ＰＲ１におけるキャッピング手段１１と、これに対応する形態の記録ヘッド３との概略斜視図である。
【００２６】
回復装置１０には、回復用モータＭ３から伝達される駆動力によって駆動される記録ヘッド３の吐出口面をキャップによってキャッピングするキャッピング手段１１と、記録ヘッド３の吐出口面をクリーニングするワイピング手段１２とが設けられている。また、キャッピング手段１１による吐出口面のキャッピングに連動して、回復装置１０内の図１中図示しない吸引手段（吸引ポンプ等）は、その吸引力を利用して、画像の記録に寄与しないインクを、吐出口からキャップ内に強制的に吸引排出させる。このようなインクの吸引排出によって、記録ヘッド３のインク流路内の増粘インクや気泡等を除去する吸引回復処理を行うことができる。
【００２７】
キャッピング手段１１のキャップ内に向かって、画像の記録に寄与しないインクを吐出口から吐出（以下、「予備吐出」ともいう）させることによって、記録ヘッド３のインクの吐出状態を良好に保つための吐出回復処理（予備吐出処理）を行うことができる。
【００２８】
さらに、非記録動作時等に、キャッピング手段１１が記録ヘッド３の吐出口面をキャッピングすることによって、記録ヘッド３を保護し、また、インクの乾燥を防止することができる。ワイピング手段１２は、キャッピング手段１１の近傍に配され、記録ヘッド３の吐出口面に付着したインク滴を拭き取る。
【００２９】
キャッピング手段１１と、これを用いた吸引回復処理および吐出回復処理（予備吐出処理）のための回復手段と、ワイピング手段１２とによって、記録ヘッド３のインクの吐出状態を良好に保つことができる。
【００３０】
図３において、複数の吐出口（以下、「ブラックインク用吐出口」ともいう）５４は、ブラックインク（Ｂｋインク）吐出用のノズルを構成する。複数の吐出口（以下、「カラーインク用吐出口」ともいう）５５は、カラーインク（マゼンタインク、シアンインク、イエローインク）吐出用のノズルを構成する。キャップ３５は、キャッピング手段１１を構成し、記録ヘッド３の吐出口面をキャッピング可能である。キャップ３５は、ブラックインク用吐出口５４に対応するキャップ３５ａと、カラーインク用吐出口５５に対応するキャップ３５ｂとによって構成され、それぞれ別々にインクを吸引できる。
【００３１】
図４は、インクジェット記録装置ＰＲ１を制御する制御手段１００を示すブロック図である。
【００３２】
制御手段１００は、ＣＰＵ１０１と、ＲＡＭ１０２と、ＲＯＭ１０３と、ＥＥＰＲＯＭ１０４と、Ｉ／Ｆ１０５と、各種センサ１０６と、モータドライバ１０７と、キャリッジ（ＣＲ）モータ制御部１０８とを有する。また、制御手段１００は、ラインフィード（ＬＦ）モータ制御部１０９と、オートシートフィード（ＡＳＦ）モータ制御部１１０と、回復用（ＰＧ）モータ制御部１１１と、記録ヘッド制御部１１２とを有する。
【００３３】
ＣＰＵ１０１は、制御装置であり、インクジェット記録装置ＰＲ１の印字データの作成、印字制御のためのモータ駆動、印字ヘッド吐出制御、上位装置から転送されたコマンドの解析、パネルからの入力による各種制御等を行う。
【００３４】
ＲＡＭ１０２は、制御プログラムを記憶する。ＲＯＭ１０３は、プリンタの制御プログラムを記憶し、プリンタの制御用ソフト、各種データ等が格納されている。ＲＯＭ１０３に記憶している制御ソフトは、ＣＰＵ１０１によって読み出されたプログラムとして実行される。各種データは、そのまま初期値として使用されるものと、ＲＡＭ１０２に展開され、ＣＰＵ１０１によって加工されるものとがある。
【００３５】
ＥＥＰＲＯＭ１０４は、プリンタの情報を保存し、実施例１におけるインク吸引実行時刻情報や画像データ源特定情報を保管し、また、プリンタの設定状態、印刷枚数、インク残量等をも格納している。自動電源ＯＮ／ＯＦＦ、乾燥モード等の機能項目が、プリンタの設定状態を示す情報として格納されている。
【００３６】
なお、上記「インク吸引実行時刻情報」は、インク吸引手段によってインクが吸引されたときにおけるインク吸引実行時刻を示す情報である。
【００３７】
Ｉ／Ｆ１０５は、ホストＰＣ、画像データ源等の上位装置から画像データを受信し、受信された画像データは、ＣＰＵ１０１によって読み込まれ、ＲＡＭ１０２上にイメージデータとして展開される。Ｉ／Ｆ１０５は、ＵＳＢ、無線等の上位装置との双方向通信が可能である。
【００３８】
各種センサ１０６は、環境温度、ヘッド温度、紙有り無し検知等のセンサである。
【００３９】
キャリッジ（ＣＲ）モータ制御部１０８は、図１に示すキャリッジモータＭ１を制御し、主走査方向に、印字ヘッドを走査させて印字する。ラインフィード（ＬＦ）モータ制御部１０９は、図１に示す搬送モータＭ２を制御し、紙を副走査方向へ走査させ、印字媒体を移動させる。
【００４０】
オートシートフィード（ＡＳＦ）モータ制御部１１０は、印字媒体を１枚ずつ給紙させ、印字可能位置まで印字媒体を移動させるために使用する。回復用（ＰＧ）モータ制御部１１１は、図１に示す回復用モータＭ３を制御し、印字ヘッドの回復動作を行う。モータドライバ１０７は、上記４つのモータを駆動するモータドライバであり、各モータは、独立で動作可能である。記録ヘッド制御部１１２は、図１に示す記録ヘッド３の吐出制御等を行う。
【００４１】
次に、インクジェット記録装置ＰＲ１の動作について説明する。
【００４２】
図５は、インクジェット記録装置ＰＲ１の動作を示すフローチャートである。
【００４３】
つまり、図５に示すフローチャートは、画像データ源から受信した画像データに基づいて画像を記録する場合、画像データを受信する動作に先行して、画像データ源に内蔵されている内蔵クロックに格納されている時刻情報を取得する。そして、時刻情報の取得に基づいて、インク吸引処理を行うか否かを判定する動作のフローチャートである。
【００４４】
すなわち、カメラからプリンタへ、印刷実行が指示された場合、その時のカメラ（画像データ源）の時刻情報を取得するために、画像データ源に内蔵されている内蔵クロックに格納されている画像データ源時刻情報を取得する。
【００４５】
Ｓ１では、図４に示すＥＥＰＲＯＭ１０４に記憶されている画像データ源特定情報を読み出す。上記「画像データ源特定情報」は、画像データ源を特定する情報であり、たとえばベンダー名、機種名、シリアル番号である。
【００４６】
そして、画像データ源特定情報を取得済みである場合、Ｓ２に遷移し、画像データ源特定情報が取得されていないか、または、取得されたデータが不正なデータであれば、Ｓ５に遷移する。なお、上記「画像データ源特定情報が取得されていない」場合とは、時刻情報を他の通信方法で受信したときに、画像データ源特定情報が付随されていない場合である。
【００４７】
Ｓ２では、Ｓ１で取得したＥＥＰＲＯＭ１０４に記憶されている画像データ源特定情報と、新たに取得した画像データ源特定情報とを比較し、互いに一致した場合、Ｓ３に遷移し、一致しない場合、Ｓ５に遷移する。なお、上記「新たに取得した画像データ源特定情報」は、たとえばカメラがプリンタに接続されたときに取得した情報である。
【００４８】
Ｓ３では、ＥＥＰＲＯＭ１０４に記憶されているインク吸引実行時刻情報と、新たに取得したデータ源時刻情報との差分に基づいて、吸引経過時間を取得し、Ｓ４に遷移する。なお、上記「新たに取得したデータ源時刻情報」は、理想的には現在時刻であるが、理想どおりに設定されているかどうかが不明であるので、機種を判別する。
【００４９】
Ｓ４では、Ｓ３で取得した吸引経過時間を、所定の閾値と比較し、上記取得した吸引経過時間が所定の閾値以上であれば、吸引が必要であると判断し、Ｓ５に遷移する。上記取得した吸引経過時間が所定の閾値よりも小さければ、吸引が不必要であると判断し、吸引判定処理は終了する。
【００５０】
Ｓ５では、Ｓ１、Ｓ２、Ｓ４の結果によって、吸引が必要であると判断されたので、吸引手段による吸引を実行する。
【００５１】
Ｓ６では、Ｓ５で吸引手段が実行されたので、新たに取得したデータ源時刻情報を、インク吸引実行時刻情報として、ＥＥＰＲＯＭ１０４に記憶する。つまり、カメラ（画像データ源）から取得した時刻情報を、インク吸引を実行した時刻として記憶する。
【００５２】
なお、上記実施例をプログラムの発明として把握することができる。
【００５３】
つまり、上記実施例は、記録ヘッドのメンテナンスのために、上記記録ヘッドの吐出口からインクを所定量吸引するインク吸引手順と、記録ヘッドのメンテナンスのために、上記記録ヘッドの吐出口からインクを所定量吐出するインク吐出手順と、上記インク吸引手順でインクが吸引されたときのインク吸引実行時刻情報を記憶するインク吸引実行時刻情報記憶手順と、画像データ源から画像データを受信する動作に先行して、画像データ源に内蔵されている内蔵タイマに格納されている画像データ源時刻情報を取得する画像データ源時刻情報取得手順と、画像データ源を特定する情報である画像データ源特定情報を取得する画像データ源特定情報取得手順と、上記画像データ源から取得した上記画像データ源時刻情報と、上記画像データ源特定情報とを記憶する画像データ源特定情報記憶手順と、上記インク吸引実行時刻情報と、上記画像データ源時刻情報との差である吸引経過時間を演算する吸引経過時間演算手順と、既に取得した画像データ源特定情報と、新たに取得した画像データ源特定情報とを比較する画像データ源特定情報比較手順と、両データ源が互いに同じであると、上記画像データ源特定情報比較手順で判断した場合、上記吸引経過時間演算手順で演算した吸引経過時間が、所定時間を経過していれば、上記インク吸引手順でインクを吸引するとともに、上記画像データ源時刻情報を、インク吸引実行時刻として記憶し、一方、両データ源が互いに異なると、上記画像データ源特定情報比較手順で判断した場合、上記インク吸引手順でインクを吸引するとともに、上記画像データ源時刻情報を、インク吸引実行時刻として記憶する制御手順とをインクジェット記録装置に実行させるプログラムの例である。
【図面の簡単な説明】
【００５４】
【図１】本発明の実施例１であるインクジェット記録装置ＰＲ１の内部構成を示す模式的斜視図である。
【図２】インクジェット記録装置ＰＲ１における回復手段を含む回復装置１０を、斜め上方から見た模式的斜視図である。
【図３】インクジェット記録装置ＰＲ１におけるキャッピング手段１１と、これに対応する形態の記録ヘッドとの概略斜視図である。
【図４】インクジェット記録装置ＰＲ１を制御する制御手段１００を示すブロック図である。
【図５】インクジェット記録装置ＰＲ１の動作を示すフローチャートである。
【符号の説明】
【００５５】
ＰＲ１…インクジェット記録装置、
３…記録ヘッド、
１０…回復装置、
１１…キャッピング手段、
１２…ワイピング手段、
３５…キャップ、
１００…制御手段、
１０１…ＣＰＵ、
１０６…センサ部、
１０７…モータドライバ、
１１２…記録ヘッド制御部。
【図１】
2007090539.tif 000003
【図２】
2007090539.tif 000004
【図３】
2007090539.tif 000005
【図４】
2007090539.tif 000006
【図５】
2007090539.tif 000007